(57)【要約】【課題】比較的簡素な構成で捕集した異物の流出を抑制可能な内燃機関の異物除去装置を提供する。【解決手段】本発明の異物除去装置３０は、排気中の異物を捕集すべく内燃機関１が備える低圧ＥＧＲ通路１７に設けられ、それぞれ底面３１ａより高い位置に配置される入口３２及び出口３３を有するとともに入口３２から流入した排気が内部を通過して出口３３から排出される捕集室３１を備え、捕集室３１には、入口３２から流入した排気が底面３１ａに向かって下降するように流れる下降部３５と下降部３５の下流に配置されて排気が底面３１ａ側から出口３３に向かって上昇するように流れる上昇部３６とが捕集室３１の内部に形成されるようにバッフル板３４が設けられ、バッフル板３４は、上昇部３６の流路断面積Ａが目標異物Ｐの終端速度Ｖと上昇部３６を流れる排気の流速とが同じになる所定断面積αより大きくなるように配置されている。【選択図】図２
2009299476.tif 000002
【特許請求の範囲】
【請求項１】
排気中の異物を捕集すべく内燃機関が備える排気が流通する通路に設けられ、それぞれ底面より高い位置に配置される入口及び出口を有するとともに前記入口から流入した排気が内部を通過して前記出口から排出される捕集室を備え、
前記捕集室には、前記入口から流入した排気が前記底面に向かって下降するように流れる下降部と前記下降部の下流に配置されて排気が前記底面側から前記出口に向かって上昇するように流れる上昇部とが前記捕集室の内部に形成されるように壁部が設けられ、
前記壁部は、前記上昇部の流路断面積が前記捕集室で捕集すべき目標異物に作用する重力と前記上昇部を流れる排気が前記目標異物に付与する上方向の力とが釣り合うときの速度である前記目標異物の終端速度と前記上昇部を流れる排気の流速とが同じになる所定断面積より大きくなるように配置されていることを特徴とする内燃機関の異物除去装置。
【請求項２】
前記底面には、前記底面から上方に延びるとともに前記捕集室内における排気の流れ方向と交差する方向に延びる複数の板部材が設けられている請求項１に記載の内燃機関の異物除去装置。
【請求項３】
排気中の異物を捕集すべく内燃機関が備える排気が流通する通路に設けられ、それぞれ底面より高い位置に配置される入口及び出口を有するとともに前記入口から流入した排気が内部を通過して前記出口から排出される捕集室を備え、
前記捕集室には、前記入口から流入した排気が前記底面に向かって下降するように流れる下降部と前記下降部の下流に配置されて排気が前記底面側から前記出口に向かって上昇するように流れる上昇部とが前記捕集室の内部に形成されるように壁部が設けられ、
前記底面には、前記底面から上方に延びるとともに前記捕集室内における排気の流れ方向と交差する方向に延びる複数の板部材が設けられていることを特徴とする内燃機関の異物除去装置。
【請求項４】
前記複数の板部材は、前記捕集室内における排気の流れ方向の上流側に向かって傾斜するように前記底面から上方にそれぞれ延びている請求項２又は３に記載の内燃機関の異物除去装置。
【発明の詳細な説明】
【技術分野】
【０００１】
本発明は、排気から異物を分離、除去するための内燃機関の異物除去装置に関する。
【背景技術】
【０００２】
内燃機関の排気に含まれる粒子状物質（ＰＭ）を排気から分離すべく、排気管の途中に設けた偏向板で排気の流れを変更して粒子状物質に遠心力を発生させ、排気管の側壁に設けられてその排気管に対して開口する容積室で遠心力によって排気流れから離脱する粒子状物質を捕捉し、溜め置く排気浄化装置が知られている（特許文献１参照）。その他、本発明に関連する先行技術文献として特許文献２、３が存在する。
【０００３】
【特許文献１】特開２００７−１０７３９９号公報
【特許文献２】特開２００３−９７３６１号公報
【特許文献３】特開２０００−１７０６０８号公報
【発明の開示】
【発明が解決しようとする課題】
【０００４】
特許文献１の装置では、捕集した粒子状物質などの異物が容積室から流出することを防止するために異物を大型化して容積室に捕捉されている異物と当接結合させたり、容積室内にオイルを散布したりしている。この場合、異物を大粒化するための放電装置やオイル添加弁が必要になるため、装置が複雑になり大型化するおそれがある。また、容積室と連通路で連通される捕集タンクを設け、捕集した異物を容積室から捕集タンクに移動させることにより異物の流出を防止することも開示されているが、この場合も容積室とは別に捕集タンクを設ける必要がある。
【０００５】
そこで、本発明は、比較的簡素な構成で捕集した異物の流出を抑制可能な内燃機関の異物除去装置を提供することを目的とする。
【課題を解決するための手段】
【０００６】
本発明の第１の内燃機関の異物除去装置は、排気中の異物を捕集すべく内燃機関が備える排気が流通する通路に設けられ、それぞれ底面より高い位置に配置される入口及び出口を有するとともに前記入口から流入した排気が内部を通過して前記出口から排出される捕集室を備え、前記捕集室には、前記入口から流入した排気が前記底面に向かって下降するように流れる下降部と前記下降部の下流に配置されて排気が前記底面側から前記出口に向かって上昇するように流れる上昇部とが前記捕集室の内部に形成されるように壁部が設けられ、前記壁部は、前記上昇部の流路断面積が前記捕集室で捕集すべき目標異物に作用する重力と前記上昇部を流れる排気が前記目標異物に付与する上方向の力とが釣り合うときの速度である前記目標異物の終端速度と前記上昇部を流れる排気の流速とが同じになる所定断面積より大きくなるように配置されていることにより、上述した課題を解決する（請求項１）。
【０００７】
本発明の第１の異物除去装置では、上昇部の流路断面積が目標異物の終端速度と上昇部を流れる排気の流速とが同じになる所定断面積より大きいため、上昇部において目標異物を下降させることができる。そのため、目標異物を排気から分離して捕集することができる。また、上昇部の流路断面積を所定断面積より大きくすることにより上昇部の排気の流速を目標異物の終端速度より小さくできるので、捕集した目標異物が上方に巻き上げられることを抑制したり、捕集した目標異物が排気とともに上昇してもその上昇した目標異物を速やかに下降させたりすることができる。そして、本発明の第１の異物除去装置では、捕集室の他に装置を設ける必要がない。そのため、比較的簡素な構成で捕集した異物の流出を抑制することができる。
【０００８】
本発明の第１の異物除去装置の一形態において、前記底面には、前記底面から上方に延びるとともに前記捕集室内における排気の流れ方向と交差する方向に延びる複数の板部材が設けられていてもよい（請求項２）。この場合、複数の板部材によって捕集室の底面に形成された複数の空間内に異物が捕集されるので、その捕集した異物が底面を下流側に移動することを防止できる。捕集室内を排気が流れることによりこれら複数の空間内では渦流が発生するが、この渦流の流速は捕集室内を入口から出口に向かって流れる排気の流れの流速よりも低いので、これらの空間に捕集された異物が上方に巻き上げられることを抑制できる。そのため、捕集した異物の流出をさらに抑制することができる。
【０００９】
本発明の第２の内燃機関の異物除去装置は、排気中の異物を捕集すべく内燃機関が備える排気が流通する通路に設けられ、それぞれ底面より高い位置に配置される入口及び出口を有するとともに前記入口から流入した排気が内部を通過して前記出口から排出される捕集室を備え、前記捕集室には、前記入口から流入した排気が前記底面に向かって下降するように流れる下降部と前記下降部の下流に配置されて排気が前記底面側から前記出口に向かって上昇するように流れる上昇部とが前記捕集室の内部に形成されるように壁部が設けられ、前記底面には、前記底面から上方に延びるとともに前記捕集室内における排気の流れ方向と交差する方向に延びる複数の板部材が設けられていることにより、上述した課題を解決する（請求項３）。
【００１０】
本発明の第２の異物除去装置によれば、上述したように複数の板部材によって捕集室の底面に形成された複数の空間内に異物が捕集されるので、捕集した異物が底面を下流側に移動することを防止できる。また、これらの空間内で発生する渦流の流速は捕集室内を入口から出口に向かって流れる排気の流れの流速よりも低いため、これらの空間に捕集された異物が上方に巻き上げられることを抑制できる。そして、本発明の第２の異物除去装置においても捕集室の他に装置を設ける必要がない。従って、比較的簡素な構成で捕集した異物の流出を抑制することができる。
【００１１】
複数の板部材を備えた本発明の第１及び第２の異物除去装置において、前記複数の板部材は、前記捕集室内における排気の流れ方向の上流側に向かって傾斜するように前記底面から上方にそれぞれ延びていてもよい（請求項４）。この場合、複数の板部材によって形成される複数の空間の開口部が排気流れの上流側を向くため、これらの空間内への異物の進入を促進させることができる。上述したように空間内に捕集された異物は、排気によって上方に巻き上げられ難いため、捕集した異物が捕集室の外部に流出することをさらに抑制できる。
【発明の効果】
【００１２】
以上に説明したように、本発明の異物除去装置によれば、上昇部の流路断面積を目標異物の終端速度と上昇部を流れる排気の流速とが同じになる所定断面積より大きくしたり、捕集室の底面に複数の板部材を設けたりすることにより、捕集した異物が上方に巻き上げられることを抑制できる。そのため、比較的簡素な構成で捕集した異物が捕集室の外部に流出することを抑制できる。
【発明を実施するための最良の形態】
【００１３】
（第１の形態）
図１は、本発明の第１の形態に係る異物除去装置が組み込まれた内燃機関の概略を示している。図１の内燃機関（以下、エンジンと称することがある。）１は、車両に走行用動力源として搭載されるディーゼルエンジンであり、複数（図１では４つ）の気筒２が設けられる機関本体３と、各気筒２にそれぞれ接続される吸気通路４及び排気通路５とを備えている。吸気通路４には、吸気濾過用のエアフィルタ６と、吸入空気量を調整するための第１スロットル弁７と、ターボチャージャ８のコンプレッサ８ａと、吸気を冷却するためのインタークーラ９と、吸入空気量を調整するための第２スロットル弁１０とが吸気流れの上流側から順に設けられている。排気通路５には、排気通路５内に燃料を噴射する燃料添加弁１１と、ターボチャージャ８のタービン８ｂと、排気を浄化するための排気浄化触媒１２及びフィルタ１３とが排気流れの上流側から順に設けられている。排気浄化触媒１２としては、例えば三元触媒などが設けられる。また、フィルタ１３としては、排気に含まれる粒子状物質（ＰＭ）を捕集するパティキュレートフィルタが設けられる。各気筒２には、気筒２内に燃料を噴射するためのインジェクタ１４がそれぞれ設けられている。各インジェクタ１４は、インジェクタ１４に供給される高圧の燃料が蓄えられるコモンレール１５に接続されている。
【００１４】
排気通路５と吸気通路４とは、高圧ＥＧＲ通路１６及び低圧ＥＧＲ通路１７にて接続されている。図１に示したように高圧ＥＧＲ通路１６は、タービン８ｂより上流の排気通路５と第２スロットル弁１０より下流の吸気通路４とを接続している。一方、低圧ＥＧＲ通路１７は、フィルタ１３より下流の排気通路５とコンプレッサ８ａより上流の吸気通路４とを接続している。高圧ＥＧＲ通路１６には、高圧ＥＧＲ通路１６を介して吸気通路４に還流される排気（以下、ＥＧＲガスと称することがある。）の流量を調整する高圧ＥＧＲ弁１８が設けられている。低圧ＥＧＲ通路１７には、ＥＧＲガスを冷却するためのＥＧＲクーラ１９、及び低圧ＥＧＲ通路１７を介して吸気通路４に還流されるＥＧＲガスの流量を調整する低圧ＥＧＲ弁２０が設けられている。
【００１５】
図１に示したように低圧ＥＧＲ通路１７には、異物除去装置３０が設けられている。そのため、低圧ＥＧＲ通路１７が本発明の排気が流通する通路に相当する。周知のようにＥＧＲガスには、粒子状物質などの異物が含まれている。そして、低圧ＥＧＲ通路１７を介して吸気通路４に還流されるＥＧＲガスは、その後コンプレッサ８ａ、インタークーラ９、及び第２スロットル弁１０を通過する。そのため、このＥＧＲガスに例えばコンプレッサ８ａの回転部に噛み込むような異物Ｐやインタークーラ９内に付着する異物Ｐなどが含まれていると、これらコンプレッサ８ａやインタークーラ９に異常が生じる原因となる。そこで、この異物除去装置３０では、インタークーラ９に付着したりコンプレッサ８ａに噛み込むような異物ＰをＥＧＲガスから除去する。以降、異物除去装置３０で除去すべき異物を目標異物Ｐと称することがある。
【００１６】
図２に内部を拡大して示したように異物除去装置３０は、ＥＧＲガスから目標異物Ｐを捕集するための捕集室３１を備えている。なお、図２において矢印Ｆは全て排気の流れを示している。捕集室３１は、底面３１ａが最も低い位置に配置されるようにエンジン１に取り付けられている。捕集室３１は、内部にＥＧＲガスを導入するための入口３２と、内部からＥＧＲガスを排出するための出口３３とを備えている。図２に示したようにこれら入口３２及び出口３３は、それぞれ捕集室３１の底面３１ａよりも高い位置に配置されている。図２に示したように捕集室３１の内部には、壁部としてバッフル板３４が設けられている。バッフル板３４は、捕集室３１の天面３１ｂから底面３１ａに向かって延びるように設けられている。また、バッフル板３４は、その下端が捕集室３１の底面３１ａに接しないように、すなわちバッフル板３４の下方を通って排気が流通することが可能なように設けられている。図２に示したようにバッフル板３４は、入口３２と対向するように配置されている。そのため、バッフル板３４によって、ＥＧＲガスが入口３２から出口３３に直進することを防止できる。このようにバッフル板３４を設けることにより捕集室３１の内部には、図２に矢印Ｆｄで示したように入口３２から流入した排気が底面３１ａに向かって下降するように流れる下降部３５と、下流部３５の下流に設けられて図２に矢印Ｆｕで示したように排気が底面３１ａ側から出口３３に向かって上昇するように流れる上昇部３６とを形成することができる。
【００１７】
次に図３を参照して上昇部３６の流路断面積Ａについて説明する。図３の上の図は、上昇部３６において底面３１ａから出口３３に向かって流れる排気の流速（以下、上昇排気流速と称することがある。）と上昇部３６の流路断面積Ａとの関係の一例を示している。また、図３の下の図は、上昇部３６において目標異物Ｐに作用する力について示している。上昇部３６では排気が底面３１ａ側から出口３３に向かって流れるため、この排気は図３の下の図に矢印Ｕで示したように目標異物Ｐに対して上向きの力を付与する。そして、この上向きの力は、上昇排気流速が大きくなるほど大きくなる。また、図３の下の図に矢印Ｇで示したように目標異物Ｐには重力が作用する。そのため、目標異物Ｐに作用する上向きの力と重力とが釣り合う上昇排気流速、すなわち目標異物Ｐの終端速度Ｖより上昇排気流速を小さくすることにより、上昇部３６において目標異物Ｐが排気とともに上昇することを抑制することができる。図３の上の図に示したように上昇排気流速は、上昇部３６の流路断面積Ａが大きくなるほど小さくなる。そこで、上昇部３６の流路断面積Ａには、上昇排気流速と目標異物Ｐの終端速度Ｖとが同じになる所定断面積αより大きい値が設定される。すなわち、図３の上の図の斜線で示した範囲の流路断面積が設定される。上昇部３６の流路断面積Ａはバッフル板３４を配置する位置にて調整できる。そのため、バッフル板３４は、上昇部３６の流路断面積Ａが所定断面積αより大きくなるように配置されている。
【００１８】
この異物除去装置３０によれば、入口３２から内部に流入した排気がまず下降部３５において底面３１ａに向かって下降し、その後上昇部３６において底面３１ａから出口３３に向かって上昇する。この際、上昇排気流速が目標異物Ｐの終端速度Ｖより小さくなるので、目標異物ＰをＥＧＲガスから分離して捕集することができる。また、一度捕集した目標異物Ｐが排気によって巻き上げられても、上昇排気流速が目標異物Ｐの終端速度Ｖより小さいので、巻き上げられた目標異物Ｐが出口３３から外部に流出することを十分に抑制できる。
【００１９】
以上に説明したように、第１の形態の異物除去装置３０によれば、上昇部３６の流路断面積Ａが上昇排気流速と目標異物Ｐの終端速度Ｖとが同じになる所定断面積αより大きいため、捕集した目標異物Ｐが上方に巻き上げられることを抑制したり、巻き上げられた目標異物Ｐを速やかに排気から分離して再度捕集することができる。上昇部３６の流路断面積Ａは、バッフル板３４の位置で変更できるので、捕集室３１の他に装置を設けることなく捕集した目標異物Ｐが外部に流出することを抑制できる。そのため、比較的簡素な構成で捕集した目標異物Ｐが捕集室３１の外部に流出することを抑制できる。
【００２０】
なお、捕集室３１に捕集された目標異物Ｐは、車検などエンジン１のメンテナンスが実施されたときに外部に取り出されて廃棄される。この場合、捕集室３１の容積としては、前回のメンテナンスから次のメンテナンスまでの間、内部に目標異物Ｐを保持しておくことが可能な容積が設定される。この他、捕集室３１の床面３１ａにヒータを設け、所定の間隔毎にこのヒータで捕集した目標異物Ｐを燃焼除去してもよい。この場合、捕集室３１の容積を小さくすることができる。このように捕集室３１内に捕集された目標異物Ｐを定期的に除去することで捕集室３１が目標異物Ｐで満たされることを防止し、捕集室３１から目標異物Ｐが流出することを抑制できる。
【００２１】
（第２の形態）
次に図４を参照して本発明の第２の形態に係る異物除去装置について説明する。なお、図４は、第１の形態の図２に対応する図、すなわち捕集室３１の内部を示す図である。図４に示したようにこの形態では、捕集室３１の底面３１ａに板部材としてのフィン４０が複数設けられている点が異なり、それ以外は第１の形態と同じである。そのため、第１の形態と共通の部分には同一の符号を付して説明を省略する。
【００２２】
図４に示したように第２の形態に係る異物除去装置３０では、捕集室３１の底面３１ａに底面３１ａから天面３１ｂに向かって延びる複数のフィン４０が設けられている。また、これら複数のフィン４０は捕集室３１内における排気の流れ方向を横断する方向に延びるように設けられている。なお、各フィン４０は、捕集室３１の幅方向、すなわち紙面に垂直な方向においては捕集室３１の底面３１ａの全面に亘って設けられている。各フィン４０の高さは、フィン４０の上端がバッフル板３４の下端よりも下に位置するように設定される。このように捕集室３１の底面３１ａに複数のフィン４０を設けることにより、捕集室３１の底面３１ａにこれら複数のフィン４０で仕切られた複数の空間Ｓを形成することができる。そして、図４に矢印ＦＰで示したようにこれら複数の空間Ｓにおいて目標異物Ｐをそれぞれ捕集することができる。そのため、捕集した目標異物Ｐが捕集室３１内において下流側に移動することを抑制することができる。また、図４に示したように入口３２から出口３３に向かって捕集室３１内を排気が流れるとその排気の流れによって各空間Ｓ内に渦流Ｗが生じるが、この渦流Ｗの流速は捕集室３１内を入口３２から出口３３に向かって流れる排気の流速より十分に小さい。そのため、捕集した目標異物Ｐが上方に巻き上げられることを抑制できる。
【００２３】
このように第２の形態の異物除去装置３０では、捕集室３１の底面３１ａに複数のフィン４０を設けたので、これらのフィン４０によって形成された空間Ｓで目標異物Ｐをそれぞれ捕集できる。そのため、捕集室３１内において目標異物Ｐが下流側に移動することを抑制できる。また、各空間Ｓで発生する渦流Ｗの流速は十分に小さいため、捕集した目標異物Ｐが上方に巻き上げられることを抑制できる。この第２の形態においても、捕集室３１以外に装置を設ける必要がない。そのため、比較的簡素な構成で捕集した目標異物Ｐが捕集室３１の外部に流出することを抑制できる。
【００２４】
（第３の形態）
図５を参照して本発明の第３の形態に係る異物除去装置について説明する。なお、図５は、この形態の捕集室３１の内部を示す図である。この形態では、図５に示したように捕集室３１の底面３１ａに設けられる複数のフィン４０が捕集室３１内における排気流れの上流側に傾斜している点が第２の形態と異なる。それ以外は、第２の形態と同じである。そのため、第１の形態及び第２の形態と共通の部分には同一の符号を付して説明を省略する。
【００２５】
図５に示したように複数のフィン４０を排気流れの上流側に傾斜させたことにより、各空間Ｓの開口部が排気流れの上流側を向くことになる。そのため、これら空間Ｓ内への目標異物Ｐの進入を促進させることができる。また、このように各フィン４０を傾斜させることによりフィン４０同士の間隔を狭めても目標異物Ｐを空間Ｓ内に導くことができる。そして、このようにフィン４０同士の間隔を狭めることにより、捕集した目標異物Ｐが上昇に巻き上げられることをさらに抑制することができる。
【００２６】
第３の形態の異物除去装置３０では、捕集室３１の底面３１ａに排気流れの上流側に傾斜する複数のフィン４０を設けたので、これらのフィン４０で形成される各空間Ｓへの目標異物Ｐの進入を促進させることができる。また、フィン４０を傾斜させることにより、捕集した目標異物Ｐが上方に巻き上げられることをさらに抑制することができる。そのため、捕集した目標異物Ｐが捕集室３１の外部に流出することをさらに抑制できる。
【００２７】
本発明は、上述した各形態に限定されることなく、種々の形態にて実施することができる。例えば、本発明が組み込まれる内燃機関はディーゼルエンジンに限定されず、ガソリンその他の燃料を利用する各種の内燃機関に適用してよい。本発明の異物除去装置が設けられる通路はＥＧＲ通路に限定されない。排気通路など内燃機関が備える排気が流通する種々の通路に設けてよい。
【００２８】
第２の形態又は第３の形態における上昇部３６の流路断面積Ａは、所定断面積α以下であってもよい。この場合でも、捕集室３１の底面３１ａに設けたフィン４０によって目標異物Ｐが巻き上げられることを抑制できるので、捕集した目標異物Ｐが捕集室３１の外部に流出することを抑制できる。
【００２９】
また、第２の形態又は第３の形態においては、捕集室３１に形成された各空間Ｓ内にワイヤー線を丸めてボール状にした捕集部材としてのワイヤーボールをそれぞれ設置してもよい。ワイヤーボールは、各部分のワイヤー線の密度にばらつきがあり、外部に開口するとともに内部に目標異物Ｐを取り込むことが可能な複数の空間が形成されるようにワイヤー線を丸めたものである。ワイヤーボールの各部分におけるワイヤー線の密度は、目標異物Ｐの大きさや空間Ｓ内におけるガス流れの流速に応じて適宜設定すればよい。例えば、目標異物Ｐの大きさに対してワイヤー線の密度が粗すぎると取り込んだ目標異物Ｐが抜け易くなる。一方、ワイヤー線の密度が密すぎると目標異物Ｐを内部に空間に取り込むことができなくなる。また、空間Ｓにおいては上方ほど上に向かうガス流れの流速が速くなる。そして、目標異物Ｐの終端速度Ｖは目標異物Ｐの直径が大きくなるほど大きくなるので、直径が大きい目標異物Ｐほど空間Ｓの上方で捕集可能となる。そこで、例えばワイヤーボールにワイヤー線の密度の粗い部分と密な部分とを設け、密度の粗い部分が空間Ｓの上方に配置され、密な部分が空間Ｓの下方に配置されるようにこのワイヤーボールを空間Ｓ内に設置してもよい。このようにワイヤーボールを設置することにより、このワイヤーボールの異物捕集能力を向上させ、異物の捕集効率を向上させることができる。
【図面の簡単な説明】
【００３０】
【図１】本発明の第１の形態に係る異物除去装置が組み込まれた内燃機関の概略を示す図。
【図２】異物除去装置の捕集室の内部を拡大して示す図。
【図３】上昇部の流路断面積の設定方法を説明するための図。
【図４】本発明の第２の形態に係る異物除去装置の要部を示す図。
【図５】本発明の第３の形態に係る異物除去装置の要部を示す図。
【符号の説明】
【００３１】
１  内燃機関
１７  低圧ＥＧＲ通路
３０  異物除去装置
３１  捕集室
３１ａ  底面
３２  入口
３３  出口
３４  バッフル板（壁部）
３５  下降部
３６  上昇部
４０  フィン（板部材）
Ａ  上昇部の流路断面積
α  上昇部における排気の流速と目標異物の終端速度が同じになる所定断面積
Ｐ  目標異物
Ｖ  終端速度
【図１】
2009299476.tif 000003
【図２】
2009299476.tif 000004
【図３】
2009299476.tif 000005
【図４】
2009299476.tif 000006
【図５】
2009299476.tif 000007